(57)【特許請求の範囲】
【請求項１】
客に付与されたポイントに基づき、金券として利用可能なクーポン券を発券する発券装置であって、
発券するクーポン券における複数の額面を選択可能な第１操作子と、発券するクーポン券の枚数を指定可能な第２操作子とを含む操作画面を表示するとともに、当該操作画面に前記ポイントの残高と、当該ポイントの残高のうち所定期間内に失効するポイント数とを表示する表示手段と、
前記第１操作子及び前記第２操作子に対する操作を受け付ける受付手段と、
前記ポイントの残高に基づき、前記第１操作子を介して選択された額面で発券可能な最大の枚数を最大発券枚数として算出する算出手段と、
前記第２操作子を介して指定された枚数が前記最大発券枚数以下の場合に、前記第１操作子を介して選択された額面のクーポン券を、指定された枚数分発券する発券手段と、
発券により消費したポイント数を、前記ポイントの残高から減算する減算手段と、
を備え、
前記表示手段は、前記第２操作子を介して指定可能な枚数が、予め定められた一度に発券可能な枚数の上限値以下となるよう制御する発券装置。
【請求項２】
前記表示手段は、前記算出手段が算出した前記最大発券枚数を前記操作画面に表示する請求項１に記載の発券装置。
【請求項３】
前記第２操作子を介して指定された枚数が前記最大発券枚数を上回る場合に、当該最大発券枚数を超過したことを報知する報知手段を更に備える請求項１又は２に記載の発券装置。
【請求項４】
前記表示手段は、複数の額面が設定された設定情報に基づき、当該額面の各々を選択可能な前記第１操作子を前記操作画面に表示させる請求項１〜３の何れか一項に記載の発券装置。
【請求項５】
客に付与されたポイントに基づき、金券として利用可能なクーポン券を発券する発券装置のコンピュータを、
発券するクーポン券における複数の額面を選択可能な第１操作子と、発券するクーポン券の枚数を指定可能な第２操作子とを含む操作画面を表示するとともに、当該操作画面に前記ポイントの残高と、当該ポイントの残高のうち所定期間内に失効するポイント数とを表示する表示手段と、
前記第１操作子及び前記第２操作子に対する操作を受け付ける受付手段と、
前記ポイントの残高に基づき、前記第１操作子を介して選択された額面で発券可能な最大の枚数を最大発券枚数として算出する算出手段と、
前記第２操作子を介して指定された枚数が前記最大発券枚数以下の場合に、前記第１操作子を介して選択された額面のクーポン券を、指定された枚数分発券する発券手段と、
発券により消費したポイント数を、前記ポイントの残高から減算する減算手段と、
して機能させ、
前記表示手段は、前記第２操作子を介して指定可能な枚数が、予め定められた一度に発券可能な枚数の上限値以下となるよう制御するプログラム。
【発明の詳細な説明】
【技術分野】
【０００１】
本発明の実施形態は、発券装置及びプログラムに関する。
【背景技術】
【０００２】
従来、各種の店舗では、商品の購入金額に応じたポイントを客に付与し、このポイントの総数に応じて割引券等のクーポン券を発券（発行）するサービスが提供されている。また、このようなサービスを提供する店舗では、客自身が発券装置を操作することで、自らのポイントを所定額面のクーポン券に交換することが可能となっている。
【０００３】
しかしながら、従来の発券装置では、発券可能なクーポン券の額面は一つに固定されているため、客にとって利便性に欠けるという問題があった。
【発明の概要】
【発明が解決しようとする課題】
【０００４】
本発明が解決しようとする課題は、クーポン券の発券に係る利便性を向上させることが可能な発券装置及びプログラムを提供することである。
【課題を解決するための手段】
【０００５】
実施形態の発券装置は、客に付与されたポイントに基づき、金券として利用可能なクーポン券を発券する発券装置であって、表示手段と、受付手段と、算出手段と、発券手段と、減算手段とを備える。表示手段は、発券するクーポン券における複数の額面を選択可能な第１操作子と、発券するクーポン券の枚数を指定可能な第２操作子とを含む操作画面を表示するとともに、当該操作画面に前記ポイントの残高と、当該ポイントの残高のうち所定期間内に失効するポイント数とを表示する。受付手段は、前記第１操作子及び前記第２操作子に対する操作を受け付ける。算出手段は、前記ポイントの残高に基づき、前記第１操作子を介して選択された額面で発券可能な最大の枚数を最大発券枚数として算出する。発券手段は、前記第２操作子を介して指定された枚数が前記最大発券枚数以下の場合に、前記第１操作子を介して選択された額面のクーポン券を、指定された枚数分発券する。減算手段は、発券により消費したポイント数を、前記ポイントの残高から減算する。更に、表示手段は、前記第２操作子を介して指定可能な枚数が、予め定められた一度に発券可能な枚数の上限値以下となるよう制御する。
【図面の簡単な説明】
【０００６】
【図１】図１は、実施形態に係るＰＯＳシステムの一例を示す概略構成図である。
【図２】図２は、ポイント管理サーバの構成の一例を示すブロック図である。
【図３】図３は、ポイント管理テーブルのデータ構成の一例を示す図である。
【図４】図４は、ＰＯＳ端末の構成の一例を示すブロック図である。
【図５】図５は、発券装置の一例を概略的に示す外観斜視図である。
【図６】図６は、発券装置の構成の一例を示すブロック図である。
【図７】図７は、額面設定情報のデータ構成の一例を示す図である。
【図８】図８は、発券装置が備える機能構成の一例を示す図である。
【図９】図９は、発券装置の表示部に表示される操作画面の一例を示す図である。
【図１０】図１０は、クーポン券の一例を模式的に示す図である。
【図１１】図１１は、発券装置が実行する発券処理の一例を示すフローチャートである。
【発明を実施するための形態】
【０００７】
以下、添付図面を参照して、本発明に係る発券装置及びプログラムの実施形態について説明する。本実施形態では、量販店やスーパーマーケット、ショッピングセンター等の店舗で用いられるＰＯＳシステムに適用した場合について説明する。なお、以下に説明する実施の形態によりこの発明が限定されるものではない。
【０００８】
図１は、本実施形態にかかるＰＯＳシステム１の一例を示す概略構成図である。係るＰＯＳシステム１は、会員カードを客に配布し、この会員カードを持参した客に対して、購入金額に応じたポイントを付与するサービスを提供する店舗で利用されるものである。なお、会員カードには固有のＩＤ（以下、会員ＩＤという）が予め記録されている。この会員ＩＤは、各客を識別するための識別情報として機能する。
【０００９】
図１に示すように、ＰＯＳシステム１は、ＰＯＳ端末２と、発券装置３と、ポイント管理サーバ４とを有する。これらの各装置は、ＬＡＮ（Local  Area  Network）３等のネットワークＮを介して接続される。
【００１０】
まず、ポイント管理サーバ４について説明する。ポイント管理サーバ４は、ポイントの管理を行うサーバ装置である。図２は、ポイント管理サーバ４の構成の一例を示すブロック図である。ポイント管理サーバ４は、制御部４１と、表示部４２と、操作部４３と、通信部４４と、記憶部４５とを備える。
【００１１】
制御部４１は、ＣＰＵ（Central  Processing  Unit）、ＲＯＭ（Read  Only  Memory）、ＲＡＭ（Random  Access  Memory）等のコンピュータ構成を有する。ＲＯＭは、ＣＰＵが実行する各種プログラムや各種データを記憶する。ＲＡＭは、ＣＰＵが各種プログラムを実行する際に一時的にデータやプログラムを記憶する。制御部４１（ＣＰＵ）は、ＲＯＭや記憶部４５に記憶されたプログラムと協働することで、ポイント管理サーバ４の動作を統括的に制御する。
【００１２】
表示部４２は、ＬＣＤ（Liquid  Crystal  Display）等の表示デバイスを有し、制御部４１の制御の下、各種情報を表示する。操作部４３は、キーボードやポインティングデバイス等の入力デバイスを有し、当該入力デバイスを介して入力された操作内容を制御部４１に出力する。
【００１３】
通信部４４は、ネットワークＮに接続可能な有線又は無線用の通信Ｉ／Ｆである。通信部４４は、ネットワークＮに接続された外部装置（ＰＯＳ端末２、発券装置３等）との間で各種データの授受を行う。記憶部４５は、ＨＤＤ（Hard  Disk  Drive）等の記憶装置である。記憶部４５は、制御部４１（ＣＰＵ）が実行する各種プログラム（例えば、データベースプログラム等）や、各種データを記憶する。また、記憶部４５は、各会員に付与されたポイントを管理するためのポイント管理テーブルＴ１を記憶する。
【００１４】
図３は、ポイント管理テーブルＴ１のデータ構成の一例を示す図である。ポイント管理テーブルＴ１は、各客の会員ＩＤ４０１に対応付けて、当該客の氏名４０２や、当該客に付与されたポイントに関する情報等を含んだポイント情報を記憶する。例えば、ポイント管理テーブルＴ１は、ポイントに関する情報として、ポイント付与が行われた日付４０３や、付与されたポイント数４０４、累積ポイント数４０５、失効予定ポイント数４０６等を記憶する。
【００１５】
累積ポイント数４０５は、客（会員ＩＤ）に付与されたポイント数４０４の残高である。また、失効予定ポイント数４０６は、失効予定のポイント数４０４の合計値である。例えば、ポイントの付与から１年で失効するよう設定されている場合、現在の月から１年前の同月内に付与されたポイント数４０４の合計値が、失効予定ポイント数４０６として格納される。なお、失効期限は任意に設定することが可能である。
【００１６】
ポイント管理サーバ４の制御部４１は、ポイント管理テーブルＴ１を管理する。例えば、制御部４１は、ＰＯＳ端末２や発券装置３から会員ＩＤを指定した取得要求を受け付けると、その会員ＩＤに対応付けられたポイント情報をポイント管理テーブルＴ１から読み出す。そして、制御部４１は、読み出したポイント情報を要求元の装置に送信（提供）する。なお、ポイント管理サーバ４（制御部４１）が提供する情報は、ポイント情報の全部であってもよいし、ポイント情報の一部（例えば、氏名、累積ポイント数、失効予定ポイント数）であってもよい。
【００１７】
また、制御部４１は、ＰＯＳ端末２から会員ＩＤとポイント数とを指定した付与要求を受け付けると、指定されたポイント数と現在の日付とを、指定された会員ＩＤに対応付けてポイント管理テーブルＴ１に格納する。そして、制御部４１は、指定された会員ＩＤのポイント数を合計し、累積ポイント数としてポイント管理テーブルＴ１に格納する。
【００１８】
また、制御部４１は、ＰＯＳ端末２や発券装置３から会員ＩＤとポイント数（消費ポイント数）とを指定した消費要求を受け付けると、指定されたポイント数を、指定された会員ＩＤのポイント数から減算する。具体的に、制御部４１は、会員ＩＤに対応付けられたポイント数のうち、日付の古いものから指定されたポイント数分を減算する。そして、制御部４１は、減算後のポイント数を合計し、累積ポイント数としてポイント管理テーブルＴ１に格納する。なお、減算によりポイント数が０となった日付のエントリーについては、ポイント管理テーブルＴ１から削除されるものとする。
【００１９】
また、制御部４１は、会員ＩＤ毎に失効予定ポイント数を算出し、ポイント管理テーブルＴ１に格納する。なお、失効予定ポイントを算出するタイミングは特に問わず、例えば月初めや、ポイント数の更新毎に算出する形態としてもよい。また、制御部４１は、失効期限（例えば、ポイント付与から１年）を経過した日付のエントリーをポイント管理テーブルＴ１から削除し、累積ポイント数を更新する。
【００２０】
次に、ＰＯＳ端末２について説明する。ＰＯＳ端末２は、客が買い上げた商品の商品販売データ処理を実行する商品販売データ処理装置である。図４は、ＰＯＳ端末２の構成の一例を示すブロック図である。ＰＯＳ端末２は、制御部２１と、表示部２２と、操作部２３と、通信部２４と、記憶部２５と、スキャナ２６と、カードリーダ２７と、プリンタ２８とを備える。
【００２１】
制御部２１は、ＣＰＵ、ＲＯＭ、ＲＡＭ等のコンピュータ構成を有する。ＲＯＭは、ＣＰＵが実行する各種プログラムや各種データを記憶する。ＲＡＭは、ＣＰＵが各種プログラムを実行する際に一時的にデータやプログラムを記憶する。制御部２１（ＣＰＵ）は、ＲＯＭや記憶部２５に記憶されたプログラムと協働することで、ＰＯＳ端末２の動作を統括的に制御する。
【００２２】
表示部２２は、ＬＣＤ（Liquid  Crystal  Display）等の表示デバイスを有し、制御部２１の制御の下、各種情報を表示する。操作部２３は、キーボードやポインティングデバイス等の入力デバイスを有し、当該入力デバイスを介して入力された操作内容を制御部２１に出力する。なお、表示部２２をタッチパネル構成としてもよく、この場合、タッチパネルは操作部２３として機能する。
【００２３】
通信部２４は、ネットワークＮに接続可能な有線又は無線用の通信Ｉ／Ｆである。通信部２４は、ネットワークＮに接続された外部装置（ポイント管理サーバ４等）との間で各種データの授受を行う。記憶部２５は、ＨＤＤ等の記憶装置である。記憶部２５は、制御部２１（ＣＰＵ）が実行する各種プログラムや、各種データを記憶する。例えば、記憶部２５は、各商品を識別する商品コードと、当該商品の商品名や価格等とを対応付けた商品管理テーブル（図示せず）を記憶する。また、記憶部２５は、購入金額に対するポイントの付与率を定義した設定ファイル（図示せず）を記憶する。
【００２４】
スキャナ２６は、バーコード等のコードシンボルの読み取りを行う装置である。スキャナ２６は、商品に付されたコードシンボルから当該商品の商品コードを読み取り、制御部２１に出力する。カードリーダ２７は、会員カードの挿入を受け付け、その会員カードからデータ（会員ＩＤ等）の読み取りを行う装置である。カードリーダ２７は、会員カードから読み取ったデータを制御部２１に出力する。プリンタ２８は、サーマルプリンタ等の印字装置である。プリンタ２８は、制御部２１の制御の下、商品販売データ処理の取引内容等を所定の用紙に印字する。
【００２５】
上記構成のＰＯＳ端末２において、制御部２１は、プリンタ２８、スキャナ２６、カードリーダ２７等と協働することで、商品の販売登録に係る商品販売データ処理を実行する。例えば、制御部２１は、スキャナ２６により商品から商品コードが読み取られると、この商品コードに対応する商品名や価格を商品管理テーブルから読み出す。制御部２１は、操作部２３を介して取引の終了が指示されると、それまでに読み取った商品の決済処理や登録処理を実行する。そして、制御部２１は、その取引の内容をプリンタ２８に印字させレシートとして出力する。
【００２６】
また、制御部２１は、上記した取引の際にカードリーダ２７により会員カードから会員ＩＤが読み取られると、設定ファイルに定義された付与率に基づき、商品の購入金額に応じたポイント数を算出する。そして、制御部２１は、その会員ＩＤと算出したポイント数とを組とした付与要求をポイント管理サーバ４に送信する。これにより、商品を購入した客に対しポイントの付与が行われる。
【００２７】
なお、制御部２１は、ポイントの付与に際し、取得要求をポイント管理サーバ４に送信することで、ポイント管理サーバ４からポイント情報を取得してもよい。この場合、制御部２１は、ポイント情報に含まれる累積ポイント数や失効予定ポイント数を表示部２２に表示することで、客や店員の確認を促す構成としてもよい。また、客がポイントを使用する場合、制御部２１は、使用するポイント数と会員ＩＤとを組とした消費要求をポイント管理サーバ４に送信するものとする。
【００２８】
次に、発券装置３について説明する。発券装置３は、ポイントを割引券等のクーポン券に交換するための装置である。発券装置３は、例えば、店舗内に設置され、客に対してその操作が開放される。
【００２９】
図５は、発券装置３の一例を概略的に示す外観斜視図である。図５に示すように、発券装置３は、本体３００の上部に表示部３２を備えている。表示部３２には、後述する操作部３３（図６参照）としてのタッチパネル３０１が配置される。また、発券装置３は、本体３００内に搭載されたカードリーダ３６（図６参照）に会員カードを挿入するためのカード挿入口３０２、プリンタ３７（図６参照）により印字されたクーポン券を発行する発行口３０３等を備えている。
【００３０】
図６は、発券装置３の構成の一例を示すブロック図である。発券装置３は、制御部３１と、表示部３２と、操作部３３と、通信部３４と、記憶部３５、カードリーダ３６、プリンタ３７とを備える。
【００３１】
制御部３１は、ＣＰＵ、ＲＯＭ、ＲＡＭ等のコンピュータ構成を有する。ＲＯＭは、ＣＰＵが実行する各種プログラムや各種データを記憶する。ＲＡＭは、ＣＰＵが各種プログラムを実行する際に一時的にデータやプログラムを記憶する。制御部３１（ＣＰＵ）は、ＲＯＭや記憶部３５に記憶されたプログラムと協働することで、発券装置３の動作を統括的に制御する。また、制御部３１（ＣＰＵ）は、ＲＯＭや記憶部３５に記憶されたプログラムと協働することで、後述する各機能部を実現する（図８参照）。
【００３２】
表示部３２は、ＬＣＤ等の表示デバイスを有し、制御部３１の制御の下、各種情報を表示する。操作部３３は、表示部３２上に設けられるタッチパネルであり、入力された操作内容を制御部３１に出力する。なお、操作部３３は、タッチパネルに限らず、キーボードやポインティングデバイス等の入力デバイスを有してもよい。
【００３３】
通信部３４は、ネットワークＮに接続可能な有線又は無線用の通信Ｉ／Ｆである。通信部３４は、ネットワークＮに接続された外部装置（ポイント管理サーバ４等）との間で各種データの授受を行う。
【００３４】
記憶部３５は、ＨＤＤ等の記憶装置である。記憶部３５は、制御部３１（ＣＰＵ）が実行する各種プログラムや、後述するＧＵＩ（Graphical  User  Interface）の表示に係る各種データ等を記憶する。また、記憶部３５は、ポイントをクーポン券の額面に換金する際の換金率（例えば、１ポイント＝１円等）を設定情報として記憶する。また、記憶部３５は、発券するクーポン券の額面を規定した額面設定情報Ｔ２を記憶する。
【００３５】
図７は、額面設定情報Ｔ２のデータ構成の一例を示す図である。額面設定情報Ｔ２は、クーポン券の額面となる金額を記憶する。図７では、額面として、５００円、１０００円、５０００円の３種類の金額が設定された例を示している。なお、額面設定情報Ｔ２には、任意の金額を設定することが可能であるとする。また、額面設定情報Ｔ２に設定する金額の種類は、特に問わず、例えば、４種類以上の金額を設定してもよい。
【００３６】
カードリーダ３６は、会員カードの挿入を受け付け、その会員カードからデータ（会員ＩＤ等）の読み取りを行う装置である。カードリーダ３６は、会員カードから読み取ったデータを制御部３１に出力する。プリンタ３７は、クーポン券の印字を行う印字装置である。プリンタ３７は、制御部３１の制御の下、客が選択した額面を所定の用紙に印字することで、その額面用のクーポン券を発券（発行）する。
【００３７】
図８は、発券装置３が備える機能構成の一例を示す図である。発券装置３は、制御部３１（ＣＰＵ）と記憶部３５に記憶されたプログラムとの協働により実現される、ポイント情報取得部３１１、発券制御部３１２及び表示制御部３１３を機能部として備える。
【００３８】
ポイント情報取得部３１１は、客のポイント情報を取得する機能部である。具体的に、ポイント情報取得部３１１は、カードリーダ３６により会員カードから会員ＩＤが読み取られると、この会員ＩＤを指定した取得要求をポイント管理サーバ４に送信する。そして、ポイント情報取得部３１１は、この取得要求の送信により、ポイント管理サーバ４から送信（提供）される情報を取得する。
【００３９】
発券制御部３１２は、ポイント情報取得部３１１や表示制御部３１３と協働することで、クーポン券の発券処理を制御する。なお、本実施形態において、発券制御部３１２は、
受付手段、算出手段、発券手段、減算手段及び報知手段として機能する。
【００４０】
表示制御部３１３は、ポイント情報取得部３１１及び発券制御部３１２と協働し、クーポン券の発券に係る操作画面（ＧＵＩ）を表示部３２に表示する。例えば、表示制御部３１３は、図９に示すような操作画面を表示部３２に表示する。なお、本実施形態において、表示制御部３１３は、表示手段として機能する。
【００４１】
図９は、発券装置３の表示部３２に表示される操作画面Ｇ１の一例を示す図である。この操作画面Ｇ１は、第１領域Ｇ１１と、第２領域Ｇ１２と、第３領域Ｇ１３と、第４領域Ｇ１４と、第５領域Ｇ１５とを有する。
【００４２】
第１領域Ｇ１１は、客に関する情報を表示するための領域である。表示制御部３１３は、ポイント情報取得部３１１が取得したポイント情報を第１領域Ｇ１１に表示する。図９では、ポイント情報に含まれた累積ポイント数を「ご利用可能ポイント」として表示している。また、ポイント情報に含まれた失効予定ポイント数を「当月失効予定ポイント」として表示している。このように、表示制御部３１３は、累積ポイント数を操作画面に表示することで、ポイントの残高を客に確認させることができる。また、表示制御部３１３は、失効予定ポイント数を操作画面に表示することで、ポイントの利用を客に促すことができる。
【００４３】
また、図９では、ポイント情報に含まれた客の氏名を「××××」として表示している。なお、第１領域Ｇ１１には、ポイント情報に含まれた全ての情報を表示する構成としてもよいし、一部の情報を表示する構成としてもよい。
【００４４】
第２領域Ｇ１２は、クーポン券の額面を選択するための操作子等が表示される領域である。表示制御部３１３は、記憶部３５に記憶された額面設定情報Ｔ２の設定内容に基づき、各額面を選択するための第１操作子を第２領域Ｇ１２に表示する。ここで、図９は、図７の額面設定情報Ｔ２に基づく画面例である。この画面例では、額面「５００円」、「１０００円」、「５０００円」の各々を選択（指定）するための第１操作子として、操作ボタンＢ１１〜Ｂ１３を表示している。なお、表示制御部３１３は、第２領域Ｇ１２の操作子が択一的に選択されるよう制御する。例えば、表示制御部３１３は、操作ボタンＢ１１〜Ｂ１３の中から何れか一の操作子が選択された場合、当該操作子以外の他の操作子をグレーアウトして表示させる。
【００４５】
第３領域Ｇ１３は、第２領域Ｇ１２で選択された額面と、当該額面で発券することが可能なクーポン券の最大枚数（以下、最大発券枚数という）とを表示するための領域である。具体的に、表示制御部３１３は、第２領域Ｇ１２の操作子が選択されると、その選択された操作子に対応する額面を、第３領域Ｇ１３の領域Ｇ１３１に表示する。
【００４６】
また、発券制御部３１２は、設定情報に設定された換金率に基づき、ポイント情報に含まれた累積ポイント数と、選択された額面とから最大発券枚数を算出する。具体的に、発券制御部３１２は、選択された額面に１円当たりのポイントの換金率を乗算した値で、累積ポイント数を除算し、その商の値を最大発券枚数として算出する。例えば、換金率が１ポイント＝１円、累積ポイント数が１２３４５ポイント、選択された額面が５００円の場合を想定する。この場合、発券制御部３１２は、累積ポイント数“１２３４５”を、額面“５００”と換金率“１”との乗算値“５００”で除算した商の値“２０”を最大発券枚数として算出する。そして、表示制御部３１３は、発券制御部３１２が算出した最大発券枚数を、第３領域Ｇ１３の領域Ｇ１３２に表示する。このように、表示制御部３１３は、最大発券枚数を操作画面に表示することで、客が選択した額面での最大発券枚数を、当該客に確認させることができる。
【００４７】
第４領域Ｇ１４は、クーポン券の発券枚数を指定するための操作子等が表示される領域である。具体的に、表示制御部３１３は、第２操作子としての置数キーＢ１４やクリアキーＢ１５を第４領域Ｇ１４に表示する。ここで、クリアキーＢ１５は、置数キーＢ１４の操作により入力された数値をクリアするための操作子である。また、表示制御部３１３は、置数キーＢ１４の操作により入力された数値を発券枚数として、領域Ｇ１４１に表示する。
【００４８】
なお、発券制御部３１２は、入力された数値が第３領域Ｇ１３の最大発券枚数を超えるような場合、最大発券枚数を超過していることを報知する。ここで、報知方法は特に問わないものとする。例えば、発券制御部３１２は、表示制御部３１３を制御することで、最大発券枚数を超過していることを報知するエラー画面（図示せず）を表示部３２に表示させてもよい。また、例えば、発券装置３がスピーカー等の音声出力装置を備える場合、発券制御部３１２は、最大発券枚数を超過していることを音声により報知してもよい。
【００４９】
また、置数キーＢ１４の操作に関し、一度に発券可能な枚数に上限値を設ける構成としてもよい。例えば、一度に発券可能な枚数を１０枚としてもよい。この場合、表示制御部３１３は、数値キーにより入力される数値が上限値（１０枚）以下となるよう入力可能な数値を制御（制限）する。
【００５０】
第５領域Ｇ１５は、クーポン券の発券を指示するための操作子等が表示される領域である。具体的に、表示制御部３１３は、クーポン券の発券を指示するための発券ボタンＢ１６を第５領域Ｇ１５に表示する。また、表示制御部３１３は、発券の終了を指示するための終了ボタンＢ１７を第５領域Ｇ１５に表示する。
【００５１】
発券制御部３１２は、発券ボタンＢ１６の操作を受け付けると、プリンタ３７を制御することで、クーポン券を発券（発行）させる。具体的に、発券制御部３１２は、第２領域Ｇ１２で選択された額面のクーポン券を、第４領域Ｇ１４で指定された枚数分、プリンタ３７に印字（発券）させる。なお、額面及び枚数の何れか一方又は両方が未入力の場合には、発券ボタンＢ１６に対する操作を無効化する構成としてもよい。
【００５２】
ここで、図１０は、クーポン券Ｃ１の一例を模式的に示す図である。図１０に示すように、クーポン券Ｃ１は、長方形状の用紙に、当該用紙の中央部と長手方向の両端部に、利用者が選択した額面の金額（５００円）を印字することで形成される。このクーポン券は、店舗等において、印字された額面分の金券として利用することができる。
【００５３】
なお、額面を印字する位置は図１０の例に限らないものとする。また、クーポン券の用紙は無地に限らず、所定の柄が印刷されたものであってもよい。また、額面毎に異なる柄の用紙を使い分ける構成としてもよい。また、用紙の両面に額面を印字する構成としてもよい。
【００５４】
また、発券制御部３１２は、クーポン券の発券後、この発券により消費されたポイント数（消費ポイント）を算出する。ここで、消費ポイント数は、発券したクーポン券の額面に、発券枚数と１円当たりのポイントの換金率とを乗算することで得られる値である。例えば、換金率が１ポイント＝１円、選択された額面が５００円、指定された発券枚数が１０枚の場合を想定する。この場合、発券制御部３１２は、額面“５００”に、発券枚数“１０”と換金率“１”とを乗算した値“５０００”を消費ポイントとして算出する。
【００５５】
そして、発券制御部３１２は、消費ポイントと会員ＩＤとを組とした消費要求を、ポイント管理サーバ４に送信することで、対応する客の累積ポイント数から消費ポイント分の減算を行う。なお、発券制御部３１２は、クーポン券の発券後、ポイント情報取得部３１１に情報を再取得させることで、第１領域Ｇ１１の表示を更新させる構成としてもよい。
【００５６】
また、発券制御部３１２は、終了ボタンＢ１７の操作を受け付けると、操作画面を消去し、会員カードの排出等を行うことで、クーポン券の発券に係る処理を終了する。
【００５７】
次に、発券装置３の動作について説明する。図１１は、発券装置３が実行するクーポン券の発券に係る処理（発券処理）の一例を示すフローチャートである。
【００５８】
まず、発券装置３を操作する客は、自身が所持する会員カードを、カード挿入口３０２に挿入する。これに伴い、発券装置３ではカードリーダ３６が、挿入された会員カードから会員ＩＤを読み取る（ステップＳ１１）。次いで、ポイント情報取得部３１１は、ステップＳ１１で読み取られた会員ＩＤを指定した取得要求をポイント管理サーバ４に送信することで、対応するポイント情報を取得する（ステップＳ１２）。次いで、表示制御部３１３は、ステップＳ１２で取得されたポイント情報や額面設定情報Ｔ２に基づき、操作画面（図９参照）を表示部３２に表示する（ステップＳ１３）。
【００５９】
続いて、発券制御部３１２は、操作ボタンＢ１１〜Ｂ１３の操作により、何れか一の額面が選択されたか否かを判定する（ステップＳ１４）。一の額面が選択されると（ステップＳ１４；Ｙｅｓ）、発券制御部３１２は、選択された額面に基づき算出した最大発券枚数を操作画面に表示させ（ステップＳ１５）、ステップＳ１６に移行する。なお、操作ボタンＢ１１〜Ｂ１３が操作されない場合には（ステップＳ１４；Ｎｏ）、ステップＳ２３に移行する。
【００６０】
ステップＳ１６において、発券制御部３１２は、置数キーＢ１４等の操作により、発券枚数が指定されたか否かを判定する（ステップＳ１６）。発券枚数が指定されると（ステップＳ１６；Ｙｅｓ）、発券制御部３１２は、指定された発券枚数が最大発券枚数以下か否かを判定する（ステップＳ１７）。ここで、指定された発券枚数が最大発券枚数を上回る場合（ステップＳ１７；Ｎｏ）、発券制御部３１２は、エラー画面を表示させ（ステップＳ１８）、ステップＳ１４に戻る。また、指定された発券枚数が最大発券枚数以下の場合（ステップＳ１７；Ｙｅｓ）、発券制御部３１２は、ステップＳ１９に移行する。なお、発券枚数が指定されない場合には（ステップＳ１６；Ｎｏ）、ステップＳ２３に移行する。
【００６１】
ステップＳ１９において、発券制御部３１２は、発券ボタンＢ１６の操作により、発券が指示されたか否かを判定する（ステップＳ１９）。発券が指示されると（ステップＳ１９；Ｙｅｓ）、発券制御部３１２は、ステップＳ１４で選択された額面のクーポン券を、ステップＳ１６で指定された枚数分印字（発券）させ（ステップＳ２０）、ステップＳ２１に移行する。なお、発券が指示されない場合には（ステップＳ１９；Ｎｏ）、ステップＳ２３に移行する。
【００６２】
ステップＳ２１において、発券制御部３１２は、ステップＳ２０の発券で消費した消費ポイント数と会員ＩＤとを組とし、消費要求としてポイント管理サーバ４に送信する（ステップＳ２１）。次いで、発券制御部３１２は、ポイント情報取得部３１１にポイント管理サーバ４から情報を再取得させ、表示制御部３１３に操作画面の表示（累積ポイント数等）を更新させる（ステップＳ２２）。
【００６３】
続いて、発券制御部３１２は、終了ボタンＢ１７の操作により発券の終了が指示されたか否かを判定する（ステップＳ２３）。発券の終了が指示された場合（ステップＳ２３；Ｙｅｓ）、発券制御部３１２は、操作画面の消去や会員カードの排出等を行うことで、本処理を終了する。なお、終了ボタンＢ１７が操作されない場合には（ステップＳ２３；Ｎｏ）、ステップＳ１４に戻る。
【００６４】
以上のように、本実施形態の発券装置３によれば、複数の額面を選択可能な第１操作子を提供し、何れか一の第１操作子が選択されると、当該額面のクーポン券を指定された枚数分発券する。これにより、客は、操作画面に表示された複数の額面の中から、所望する一の額面を選択することができるため、クーポン券の発券に係る利便性を向上させることができる。
【００６５】
また、本実施形態の発券装置３によれば、客に付されたポイントの累積ポイント数や、選択された額面での最大発券枚数を操作画面上に表示する。これにより、客は、自己が有するポイントの残高や、選択した額面で発券可能な発券枚数を容易に確認することができるため、クーポン券の発券に係る利便性を向上させることができる。
【００６６】
また、本実施形態の発券装置３によれば、指定された発券枚数が最大発券枚数を上回る場合、最大発券枚数を超過したことを報知する。これにより、客は、自己が指定した発券枚数が最大発券枚数を超過したことを容易に認識することができるため、クーポン券の発券に係る利便性を向上させることができる。
【００６７】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６８】
例えば、図１１の処理では、クーポン券を連続して発券可能な構成としたが（ステップＳ１９→ステップＳ２２；Ｎｏ）、これに限らず、クーポン券の発券毎に処理を終了する構成としてもよい。この構成を採用する場合、発券制御部３１２は、ステップＳ２０で消費要求を送信した後、処理を終了する。これにより、発券装置３は、クーポン券の発券を、会員カードの挿入（読み取り）毎に、一度だけできるよう制御（制限）することができる。
【００６９】
また、上記実施形態では、ポイント管理サーバ４が各客のポイント情報（累積ポイント数等）を記憶・管理する構成としたが、これに限らないものとする。例えば、ポイント管理サーバ４以外の装置（発券装置３や、ストアサーバ等）がポイント情報を記憶・管理する構成としてもよい。また、各客が所持する会員カードが、当該客のポイント情報を記憶・管理する構成としてもよい。なお、会員カードがポイント情報を記憶する構成の場合、ＰＯＳ端末２や発券装置３は、カードリーダライタを用いてポイントの取得や付与、消費を行うものとする。
【００７０】
また、上記実施形態では、会員カードに記憶された会員ＩＤに基づき、客を識別する構成としたが、これに限らず、他の識別情報を用いて客を識別してもよい。例えば、携帯端末（スマートフォン等）が保持する端末番号や電話番号等の識別情報を用いて、客を識別してもよい。この場合、ＰＯＳ端末２や発券装置３は、近距離通信技術等を用いることで客が所持する携帯端末から識別情報を取得する。そして、ＰＯＳ端末２や発券装置３は、各識別情報にポイント情報を対応付けたポイント管理テーブルＴ１に対し、ポイントの取得や付与、消費を要求する。
【００７１】
上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７２】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００７３】
１  ＰＯＳシステム
２  ＰＯＳ端末
３  発券装置
４  ポイント管理サーバ
３１  制御部
３１１  ポイント情報取得部
３１２  発券制御部
３１３  表示制御部
Ｎ  ネットワーク
【先行技術文献】
【特許文献】
【００７４】
【特許文献１】特開２０１５−１０８８９２号公報
【図１】
0006364392.tif 000002
【図２】
0006364392.tif 000003
【図３】
0006364392.tif 000004
【図４】
0006364392.tif 000005
【図５】
0006364392.tif 000006
【図６】
0006364392.tif 000007
【図７】
0006364392.tif 000008
【図８】
0006364392.tif 000009
【図９】
0006364392.tif 000010
【図１０】
0006364392.tif 000011
【図１１】
0006364392.tif 000012